(57)【特許請求の範囲】
【請求項１】
構造物に適宜間隔で設けた複数の支持装置により垂直方向に布設したバスダクトを支持するバスダクト支持構造に於いて、
前記バスダクトの少なくとも上方支持部分で上部支持装置により前記バスダクトを上方に付勢して支持してなり、
前記上部支持装置は、前記バスダクトへの固定を担い、基部面から突出する突出片を有するバスダクト上部用固定部材と、
前記構造物への固定を担う構造物上部用固定部材とを有し、
前記バスダクト上部用固定部材は一対の前記突出片を外方にしてバスダクト厚さ方向両面に配置され、前記基部面同士を締着具で締着して前記基部面相互で前記バスダクトを挟持することを特徴とするバスダクト支持構造。
【請求項２】
前記上方支持部分が前記バスダクトの最上部支持部分であることを特徴とする請求項１記載のバスダクト支持構造。
【請求項３】
構造物に適宜間隔で設けた複数の支持装置により垂直方向に布設したバスダクトを支持するバスダクト支持構造に於いて、
前記バスダクトの少なくとも上方支持部分で上部支持装置により前記バスダクトを上方に付勢して支持してなり、
前記バスダクトの少なくとも最下部支持部分で最下部支持装置により前記バスダクトを構造物に対して固定状態で支持してなり、
前記最下部支持装置は、前記バスダクトへの固定を担い、基部面から突出する突出片を有するバスダクト下部用固定部材と、
前記構造物への固定を担う構造物下部用固定部材とを有し、
前記バスダクト下部用固定部材は、一対の前記突出片を外方にして前記バスダクト厚さ方向両面に配置し、前記基部面同士を締着具で締着して前記基部面相互で前記バスダクトを挟持することを特徴とするバスダクト支持構造。
【請求項４】
前記上部支持装置と前記最下部支持装置との間で一若しくは複数の上部支持装置により前記バスダクトを支持していることを特徴とする請求項３記載のバスダクト支持構造。
【請求項５】
前記上部支持装置による支持部分以外の支持部分に中間部支持装置を設け、前記中間部支持装置により前記バスダクトを構造物に対して少なくとも水平方向への移動を規制していることを特徴とする請求項１又は２記載のバスダクト支持構造。
【請求項６】
前記上部支持装置と前記最下部支持装置とによる支持部分以外の支持部分に中間部支持装置を設け、前記中間部支持装置により前記バスダクトを構造物に対して少なくとも水平方向への移動を規制してなることを特徴とする請求項３又は４記載のバスダクト支持構造。
【請求項７】
前記中間部支持装置は、バスダクトへの固定を担うバスダクト中間用固定部材と構造物への固定を担う構造物中間用固定部材とを有し、前記バスダクト中間用固定部材と前記構造物中間用固定部材との間に中間部用案内部材を挿通してバスダクトの水平方向への移動を規制し、前記中間部用案内部材の上端部及び下端部近傍に規制部材を設け、前記規制部材により前記バスダクト中間用固定部材と前記構造物中間用固定部材との垂直方向への離間距離を規制することを特徴とする請求項５又は６記載のバスダクト支持構造。
【請求項８】
前記上部支持装置は、バスダクトへの固定を担うバスダクト上部用固定部材と、構造物への固定を担う構造物上部用固定部材とを有し、少なくとも、前記バスダクト上部用固定部材と前記構造物上部用固定部材との間にバネ部材を介在し、前記バスダクト上部用固定部材に形成された前記一対の突出片に挿通した上部用案内部材を前記構造物上部用固定部材と固定することにより、前記バスダクト上部用固定部材を垂直方向にのみ移動可能に設置し、
前記バネ部材が前記バスダクト上部用固定部材の前記突出片を上方へ付勢することを特徴とする請求項１〜７の何れかに記載のバスダクト支持構造。
【請求項９】
前記上部用案内部材が構造物天井から吊り下げられた吊り具であると共に、前記構造物上部用固定部材が前記吊り具に設けられたナットであることを特徴とする請求項８記載のバスダクト支持構造。
【請求項１０】
構造物に適宜間隔で設けた複数の支持装置により垂直方向に布設したバスダクトを支持するバスダクト支持構造に於いて、
前記バスダクトの少なくとも上方支持部分でバネ部材を有する上部支持装置により前記バスダクトを上方に付勢して支持し、
前記バスダクトの少なくとも最下部支持部分でバネ部材を有さない最下部支持装置により前記バスダクトを構造物に対して固定状態で支持し、
前記上部支持装置と前記最下部支持装置以外の支持部分にバネ部材を有さない中間部支持装置により前記バスダクトを構造物に対して少なくとも水平方向への移動を規制し、
前記バスダクトの通電時においては、前記上部支持装置と前記最下部支持装置とで分担して支持することを特徴とするバスダクト支持装置。
【発明の詳細な説明】
【０００１】
【発明の属する技術分野】
本発明は高層ビル等で電気幹線路を構成するバスダクトを垂直方向に布設し、布設したバスダクトを適宜間隔で構造物に支持するバスダクト支持構造に関する。
【０００２】
【従来の技術】
従来のバスダクト支持装置としては、例えば実開昭５５−１６５１７３号に開示されている技術があり、これはバスダクトのハウジングの外側面に固定されボルト孔を有するハウジング金具と、床面にあけられ前記バスダクトが貫通する開口の周囲に固定され、ボルト孔を有する固定金具と、前記ハウジング金具及び前記固定金具のそれぞれの前記ボルト孔を貫通するボルトとを有し、少なくとも該ボルトに遊着するバネによって前記バスダクトを支持し、前記固定金具の前記ボルト孔の下方に突き出た前記ボルトに弾性部材を介して前記ボルトに螺合するナットで締め付けてなるものである。
【０００３】
また、他の技術として、例えば特公昭５３−３５２７０号に開示されている技術があり、これは高層ビル内に布設した垂直バスダクト線路に中間固定部を設け、該固定部を基準として上方および下方にある支持部に形成するスプリングを、当該バスダクトの通電による伸び出しに対応するように前記固定部から遠ざかるに従って順次圧縮量、サイズ或いはバネ定数を変化させて設定し、或いは平均値の伸縮量に対応するような圧縮量或いはバネ定数に設定してバスダクト荷重を通電時において各支持部に均等化分担支持させるものである。
【０００４】
【発明が解決しようとする課題】
ところが実開昭５５−１６５１７３号のバスダクト支持装置は、ビル等にバスダクトを垂直支持する場合に、各階或いは適宜間隔階毎にバネを有する前記バスダクト支持装置を設置する必要があり、バスダクト支持構造が全体的に高価となる。さらに各階でバスダクトの重さをバネで支持するため、設置時に各階毎にバネの調整が必要となり、支持装置の設置作業に多大な労力が必要となる。さらに各階にあるバスダクトを各階毎に支持装置のバネで支持するので、通電時にバスダクトの伸びが発生した場合、下方の支持装置のみで支持され、上方側に設置されている支持装置では支持されていない状態であるから、バスダクトの重みによりバスダクト自体が変形するという不具合が生ずる。
【０００５】
また特公昭５３−３５２７０号のバスダクト支持構造では、実開昭５５−１６５１７３号のバスダクト支持装置と同様に、固定部の階を除いて各階毎にバネ（スプリング）を有する支持部を設けるため、バスダクト支持構造が全体的に高価になると共に、各階毎にバネ定数等の設定を行わなければならないため、設置時に多大な労力が必要とされる。さらに中階に固定部を有する構成であって一般的に下階からバスダクトの布設作業を行うこととなるが、この場合に固定部以下の階の支持部に設けられたバネのバネ定数等の調整が難しく、不安定な状態で上階のバスダクトの布設作業を行わなければならないことから、作業時の安全性に欠けるという不具合が生ずる。
【０００６】
本発明は上記不具合を解消するためになされたものであって、垂直方向に布設するバスダクトを安価且つ容易に支持することができると共に、バスダクトの通電時の伸びに対するバスダクトの変形を未然に防止することが可能なバスダクト支持構造を提供することを目的とする。
【０００７】
【課題を解決するための手段】
本発明のバスダクト支持構造は、構造物に適宜間隔で設けた複数の支持装置により垂直方向に布設したバスダクトを支持するバスダクト支持構造に於いて、前記バスダクトの少なくとも上方支持部分で上部支持装置により前記バスダクトを上方に付勢して支持してなり、前記上部支持装置は、前記バスダクトへの固定を担い、基部面から突出する突出片を有するバスダクト上部用固定部材と、前記構造物への固定を担う構造物上部用固定部材とを有し、前記バスダクト上部用固定部材は一対の前記突出片を外方にしてバスダクト厚さ方向両面に配置され、前記基部面同士を締着具で締着して前記基部面相互で前記バスダクトを挟持することを特徴とする。前記上方付勢は、例えばバネなどの弾性部材等により、構造物に対してバスダクトを垂直方向に上方に引っ張る力を加えることにより行う。また、例えばバスダクト上部用固定部材を基部面の上下両端辺を略直角方向に屈曲する突出片を有する断面略コ字形のチャネル部材とし、前記バスダクト上部用固定部材の一対を前記突出片が互いに離反する（基部面側が互いに向き合う）ようにバスダクトの厚さ方向両端面に配置し、前記基部面同士をボルト・ナットなど締着具で緊締して前記基部面相互でバスダクトを狭持しバスダクトと固定状態にする。
【０００８】
さらに本発明のバスダクト支持構造は、上記バスダクト支持構造に於いて、前記上方支持部分が前記バスダクトの最上部支持部分であることを特徴とする。
【０００９】
また本発明のバスダクト支持構造は、構造物に適宜間隔で設けた複数の支持装置により垂直方向に布設したバスダクトを支持するバスダクト支持構造に於いて、前記バスダクトの少なくとも最下部支持部分で最下部支持装置により前記バスダクトを構造物に対して固定状態で支持してなり、前記最下部支持装置は、前記バスダクトへの固定を担い、基部面から突出する突出片を有するバスダクト下部用固定部材と、前記構造物への固定を担う構造物下部用固定部材とを有し、前記バスダクト下部用固定部材は、一対の前記突出片を外方にして前記バスダクト厚さ方向両面に配置し、前記基部面同士を締着具で締着して前記基部面相互で前記バスダクトを挟持することを特徴とする。
【００１０】
さらに本発明のバスダクト支持構造は、上記バスダクト支持構造に於いて、前記上部支持装置と前記最下部支持装置との間で一若しくは複数の上部支持装置により前記バスダクトを支持していることを特徴とする。前記一以上の上部支持装置は適宜間隔に設けることが可能である。
【００１１】
さらに本発明のバスダクト支持構造は、上記バスダクト支持構造に於いて、前記上部支持装置による支持部分以外の支持部分に中間部支持装置を設け、前記中間部支持装置により前記バスダクトを構造物に対して少なくとも水平方向への移動を規制していることを特徴とする。
【００１２】
さらに本発明のバスダクト支持構造は、上記バスダクト支持構造に於いて、前記上部支持装置と前記最下部支持装置とによる支持部分以外の支持部分に中間部支持装置を設け、前記中間部支持装置により前記バスダクトを構造物に対して少なくとも水平方向への移動を規制してなることを特徴とする。
【００１３】
さらに本発明のバスダクト支持構造は、上記バスダクト支持構造に於いて、前記中間部支持装置は、バスダクトへの固定を担うバスダクト中間用固定部材と構造物への固定を担う構造物中間用固定部材とを有し、前記バスダクト中間用固定部材と前記構造物中間用固定部材との間に中間部用案内部材を挿通してバスダクトの水平方向への移動を規制し、前記中間部用案内部材の上端部及び下端部近傍に規制部材を設け、前記規制部材により前記バスダクト中間用固定部材と前記構造物中間用固定部材との垂直方向への離間距離を規制することを特徴とする。前記規制部材により、バスダクトの上方への移動を一定距離内に規制可能となる。
【００１４】
さらに本発明のバスダクト支持構造は、上記バスダクト支持構造に於いて、前記上部支持装置は、バスダクトへの固定を担うバスダクト上部用固定部材と、構造物への固定を担う構造物上部用固定部材とを有し、少なくとも、前記バスダクト上部用固定部材と前記構造物上部用固定部材との間にバネ部材を介在し、前記バスダクト上部用固定部材に形成された前記一対の突出片に挿通した上部用案内部材を前記構造物上部用固定部材と固定することにより、前記バスダクト上部用固定部材を垂直方向にのみ移動可能に設置し、前記バネ部材が前記バスダクト上部用固定部材の前記突出片を上方へ付勢することを特徴とする。例えばバネ部材が圧縮された状態でバスダクト上部用固定部材と構造物上部用固定部材間に設置されることにより、バネ部材の伸びる力がバスダクト上部用固定部材に係ることになる。また、例えばバスダクト上部用固定部材を基部面の上下両端辺を略直角方向に屈曲する突出片を有する断面略コ字形のチャネル部材とし、前記バスダクト上部用固定部材の一対を前記突出片が互いに離反する（基部面側が互いに向き合う）ようにバスダクトの厚さ方向両端面に配置し、前記基部面同士をボルト・ナットなど締着具で緊締して前記基部面相互でバスダクトを狭持しバスダクトと固定状態にする共に、前記上部用案内部材を前記上下両突出片に挿通する。
【００１５】
さらに本発明のバスダクト支持構造は、上記バスダクト支持構造に於いて、前記上部用案内部材が構造物天井から吊り下げられた吊り具であると共に、前記構造物上部用固定部材が前記吊り具に設けられたナットであることを特徴とする。
【００１６】
また本発明のバスダクト支持構造は、構造物に適宜間隔で設けた複数の支持装置により垂直方向に布設したバスダクトを支持するバスダクト支持構造に於いて、前記バスダクトの少なくとも上方支持部分でバネ部材を有する上部支持装置により前記バスダクトを上方に付勢して支持し、前記バスダクトの少なくとも最下部支持部分でバネ部材を有さない最下部支持装置により前記バスダクトを構造物に対して固定状態で支持し、前記上部支持装置と前記最下部支持装置以外の支持部分にバネ部材を有さない中間部支持装置により前記バスダクトを構造物に対して少なくとも水平方向への移動を規制し、前記バスダクトの通電時においては、前記上部支持装置と前記最下部支持装置とで分担して支持することを特徴とする。
【００１７】
【作用】
本発明のバスダクト支持構造では、バスダクトの少なくとも上方支持部分で上部支持装置により該バスダクトを垂直方向に上方へ付勢して支持することにより、更に好適には上方支持部分をバスダクトの最上部支持部分とする或いは上方支持部分にバスダクトの最上部支持部分を含ませることにより、バスダクトの上方付勢或いは引っ張りによって通電時の伸びを全て吸収することが可能であり、バスダクトを常時直線状態で設置することができる。
【００１８】
加えてバスダクトの少なくとも最下部支持部分で最下部支持装置によりバスダクトを構造物に対して固定状態で支持することで、通電時のバスダクトの伸長に対応しつつ安定した支持が可能となる。またバスダクトの荷重を上部支持装置のみ、或いは前記上部支持装置と最下部支持装置等により支持することになるため、バスダクトの重さなどでバスダクトが変形することがない。
【００１９】
さらに最上部支持部分など上方支持部分の上部支持装置と最下部支持装置との間でも一若しくは複数の上部支持装置により適宜間隔でバスダクトを支持することにより、超高層ビル等に対してバスダクトを垂直布設する場合等でも、バスダクトの支持が通電時のバスダクトの重さ及び伸びに充分耐えられるものとなる。
【００２０】
さらに上部支持装置による支持部分以外の支持部分に中間部支持装置を設けてバスダクトを支持し、或いは上部支持装置と最下部支持装置による支持部分以外の支持部分に中間部支持装置を設けてバスダクトを支持し、中間部支持装置が構造物に対するバスダクトの少なくとも水平方向への移動を規制することにより、中間部支持装置を使用している場所についてはバネ部材などを使用する必要がなくなり、より安価で、安定した垂直バスダクトの電気幹線路を形成することが可能となる。
【００２１】
さらに、例えば中間部支持装置のバスダクトを固定するバスダクト中間用固定部材と構造物に固定される構造物中間用固定部材とに中間部用案内部材を挿通し、中間部用案内部材の両端部近傍に設けた規制部材でバスダクト中間用固定部材の上方への移動を一定距離に規制することにより、構造物に対してバスダクトの垂直方向への移動を一定距離内に規制しているため、より安定した垂直布設されたバスダクトの電気幹線路を形成することが可能となると共に、前記同様に中間部支持装置にバネを使用していないため、設置作業が容易となり、全体的に安価にバスダクトを支持することができる。
【００２２】
さらに、上部支持装置のバスダクト上部用固定部材と構造物上部用固定部材との間にバネ部材を介在し、前記バネ部材がバスダクト上部用固定部材を上方に付勢する構成にすることで、上方側に設置された上部支持装置でバスダクトを上方に引っ張って通電時の伸びを十分に吸収可能な状態とすることが可能であり、又その状態を維持することができる。
【００２３】
さらに、バスダクト上部用固定部材を基部面から突出する突出片を設けた形状とし、前記バスダクト上部用固定部材の一対を突出片を外方にしてバスダクトの厚さ方向両面に配置し、該基部面同士を締着具で締着して該基部面相互で該バスダクトを挟持すると共に、上部案内用部材を該突出片に挿通する構成により、バスダクト自体に孔開け加工が不要となり、又ある程度の上方に向かう長い伸びに対しても対応することができ、更にはバスダクト上部用固定部材の突出片に上部用案内部材を挿通するので、バスダクトの揺れ止めを防止することができる。
【００２４】
また、別例の上部支持装置として、最上階などの天井から吊下られた吊り金具など吊り具で支持することが可能であり、案内部材として吊り具を使用すると共に、構造物上部用固定部材に吊り具に固定されているナットを使用することにより、何らかの事情によって床面でバスダクトを支持できない場合などに対応することができる。
【００２５】
【発明の実施の形態】
以下では本発明のバスダクト支持構造を図に於ける具体的な実施例に基づいて説明するが、本発明はかかる実施例に限定されるものではない。図１から図８は本発明のバスダクト支持構造の第１実施例に関するものであり、図１は本発明で垂直布設したバスダクトを支持している状態を示す側面図及び正面図、図２は最下部支持装置の側面図及び正面図、図３は中間部支持装置の側面図及び正面図、図４は通電時の中間部支持装置を示す側面図及び正面図、図５は上部支持装置の側面図及び正面図、図６は通電時の上部支持装置を示す側面図及び正面図、図７は上部支持装置をバスダクト上部用固定部材の最上方へ移動した時の側面図、図８は上部支持装置の施工手順を示す説明図である。
【００２６】
前提として各実施例の対象のバスダクトは、複数相からなる絶縁処理された導体をハウジングで被覆してなるものであり、前記バスダクトをオフィスビル等に垂直布設し、オフィスビル等の上方階まで電気幹線路を形成する。その際に各階の床面を垂直布設されたバスダクトが貫通し、例えば図１に示すように、各階毎或いは適宜間隔毎に貫通したバスダクトを支持する支持装置を設けることになる。各階毎等にバスダクト支持装置を設置することにより、垂直布設されたバスダクトの水平方向への移動を規制し、加えてバスダクトの落下を未然に防止することができる。
【００２７】
そして、本発明の第１実施例のバスダクト支持構造は、図１に示すように、垂直布設されたバスダクト１を複数のバスダクト支持装置で各階毎に支持するものであり、複数設置するバスダクト支持装置として、最下部の支持部分でバスダクト１を支持する最下部支持装置２と、最上部を含む上方の支持部分に設置する上部支持装置３と、最下部支持装置２と上部支持装置３による支持部分以外の支持部分で最下部支持装置２と上部支持装置３との中間に設置する中間部支持装置４という異なる支持装置を設置し、バスダクト１の安定性の向上、設置コストの削減、設置作業の容易化を可能にするものである。以下、一般的に施工される順序である最下部支持装置２、中間部支持装置４、上部支持装置３の順に順次詳細を説明する。
【００２８】
最下部支持装置２は、垂直布設されたバスダクト１の支持装置の中で最下部の支持部分で支持するものであり、図２に示すように、バスダクト下部用固定部材２１と構造物下部用固定部材２２とを有し、構造物の床面５と固定状態となっている。
【００２９】
構造物下部用固定部材２２は、基部面２２ａの上端辺から上方突出片２２ｂが略直角に屈曲して延設され、その下端辺から下方突出片２２ｃが略直角に屈曲して延設された断面略コ字形の短尺棒状であり、図２には省略するが前記上方突出片２２ｂには、詳細を後述するバスダクト下部用固定部材２１とボルトナット等の締着具にて固定するためのボルト挿通孔が形成されている。一対の構造物下部用固定部材２２・２２は、床面５に形成されたバスダクト１の貫通口５ａから貫通突出したバスダクト１を支持するために、貫通口５ａの近傍で、突出したバスダクト１の幅方向に沿ってその長手方向を合わせ、上方突出片２２ｂ・２２ｂ相互及び下方突出片２２ｃ・２２ｃ相互が互いに離反するように配置し、床面５に固定している。
【００３０】
バスダクト下部用固定部材２１は、正面視略方形の基部面２１ａの下端辺から略直角に屈曲して外方に延設された突出片２１ｂを有する断面略Ｌ字形の金具であり、図２には省略するが、突出片２１ｂにはボルト挿通孔が形成され、前記ボルト挿通孔に締着具であるボルト２３ａを挿通してワッシャー２３ｃを介してナット２３ｂを緊締し、構造物下部用固定部材２２の上方突出片２２ｂと突出片２１ｂとが固定される。バスダクト下部用固定部材２１の一対は、バスダクト１の厚さ方向両端面に基部面２１ａ・２１ａ側を互いに内側方向に向けて挟持するように配置され、バスダクト１のハウジングを貫通しない場所で、基部面２１ａ・２１ａに締着具であるボルト２４ａを挿通してナット２４ｂで緊締し、基部面２１ａ・２１ａ同士でバスダクト１を挟持する。前記挟持により、一対のバスダクト下部用固定部材２１・２１とバスダクト１が固定状態となる。
【００３１】
前記ボルト２４ａ、ナット２４ｂ等による固定位置は、例えばボルト２４ａがバスダクト１の幅方向両端面に略接する程度の位置とすると良好であり、ボルト２４ａ頭部と基部面２１ａの外側面及びナット２４ｂと基部面２１ａの外側面の間に介在するワッシャー２４ｃ・２４ｃの内側端縁がバスダクト１のハウジングに係る程度にすることにより、バスダクト１をより強固に固定することが可能となると共に、バスダクト１の幅方向への水平移動を規制することが可能となる。
【００３２】
なお締着具はボルト２３ａ、２４ａやナット２３ｂ、２４ｂ等以外にも適宜であり、例えばバスダクト１の厚さ方向両端面の幅方向両端縁近傍でビスなどで固定する等でもよく、かかる構成によっても、バスダクト１を強固に固定することができると共に、水平方向への移動を規制することができる。またボルト締めやビス止め等で固定する場合であっても、予めバスダクト１に孔開け加工をする必要がなく施工性に優れる。
【００３３】
上記の如く、一対のバスダクト下部用固定部材２１・２１でバスダクト１を挟持して固定すると共に、構造物下部用固定部材２２の上方突出片２２ｂとバスダクト下部用固定部材２１の突出片２１ｂとをボルト２３ａ、ナット２３ｂで固定して、バスダクト下部用固定部材２１を構造物の床面５と固定状態とし、結果としてバスダクト１は水平方向、垂直方向ともに規制されて構造物の床面５に固定状態となる。
【００３４】
前記最下部支持装置２でバスダクト１を完全に固定した後、中間部支持装置４でバスダクト１を支持する。中間部支持装置４は、図３に示すように、バスダクト中間用固定部材４１と構造物中間用固定部材４２とを有し、バスダクト中間用固定部材４１は最下部支持装置２のバスダクト下部用固定部材２１と略同一形状であって、基部面４１ａに突出片４１ｂが屈曲延設された断面略Ｌ字形であり、また構造物中間用固定部材４２も最下部支持装置２の構造物下部用固定部材２２と略同一形状であって、基部面４２ａに上方突出片４２ｂと下方突出片４２ｃが屈曲延設された断面略コ字形である。
【００３５】
同様に、構造物中間用固定部材４２の一対は、バスダクト１の貫通口５ａの近傍で、上方突出片４２ｂ・４２ｂ相互及び下方突出片４２ｃ・４２ｃ相互が互いに離反するように配置されて床面５に固定され、またバスダクト中間用固定部材４１の一対は、突出片４１ｂ・４１ｂ相互が互いに離反する方向で配置され、基部面４１ａ・４１ａに締着具であるボルト４３ａを挿通してワッシャー４３ｃを介してナット４３ｂで緊締し、基部面４１ａ・４１ａ同士でバスダクト１を挟持する。
【００３６】
構造物の床面５と固定状態となった構造物中間用固定部材４２の上方突出片４２ｂと、バスダクト１と固定状態となったバスダクト中間用固定部材４１の突出片４１ｂとには、中間部用案内部材として一定長さを有するボルト４４ａを挿通する。ボルト４４ａにはワッシャー４４ｃ及び断面略円形のスペーサ４４ｄを填めて介在させ、スペーサ４４ｄと供にボルト４４ａをボルト挿通孔に挿通し、スペーサ４４ｄ分の一定距離あけて下端部近傍にワッシャー４４ｃを介してナット４４ｂを螺合して配置する。前記ボルト４４ａの頭部及びナット４４ｂは規制部材に相当し、ボルト４４ａ或いはボルト４４ａの軸部は中間部用案内部材に相当する。なお一定距離の間隔をあける方式はスペーサ４４ｄを介在する以外でも良く適宜である。
【００３７】
通常の施工時は、バスダクト１の伸びを吸収するため、バスダクト中間用固定部材４１の突出片４１ｂと構造物中間用固定部材４２の上方突出片４２ｂとの間を開けない位置にバスダクト中間用固定部材４１を位置させ、そのバスダクト中間用固定部材４１でバスダクト１を挟持固定する。従って、構造物中間用固定部材４２とバスダクト中間用固定部材４１を容易に施工、設置することができると共に、バスダクト１の重さを構造物中間用固定部材４２とバスダクト中間用固定部材４１で確実に支持することができる。
【００３８】
上記の如く、構造物の床面５に固定状態となっている構造物中間用固定部材４２と、バスダクト１と固定状態となっているバスダクト中間用固定部材４１とを垂直方向に移動可能に中間部用案内部材で接続し、中間部用案内部材の上下端部に規制部材であるボルト４４ａ頭部及びナット４４ｂを介在し、バスダクト１の移動を一定距離に規制することにより、完全に固定された最下部支持装置２から上方のバスダクト１の通電時の伸びをこの一定距離移動可能な構成が吸収することができる。
【００３９】
なお実質的に中間部支持装置４は、通電時でバスダクト１が伸長した場合以外ではバスダクト１の重さを支持すると共に水平方向への移動を規制するが、通電時等でバスダクトが伸びた場合は、図４に示すようにバスダクト中間用固定部材４１が浮き上がるので、バスダクト１の水平方向への移動を規制部材間で規制するのみとなる。またバスダクト１の移動可能な距離は適宜であるが、上方階へ向かう程距離を広くするようにすると好適である。
【００４０】
中間部支持装置４により順次等でバスダクト１を支持し、バスダクト支持装置が設置される場所の内、少なくとも最上部にあたる最上階の床面５を貫通したバスダクト１を支持する部分には、図５に示す上部支持装置３を設置し、上部支持装置３でバスダクト１を支持する。
【００４１】
上部支持装置３は、上記支持装置２、４と同様にバスダクト上部用固定部材３１と構造物上部用固定部材３２とを有し、構造物上部用固定部材３２は上記固定部材２２、４２と略同一形状であって、基部面３２ａに上方突出片３２ｂと下方突出片３２ｃが屈曲延設された断面略コ字形である。構造物中間用固定部材３２の一対は、バスダクト１の貫通口５ａの近傍で、上方突出片３２ｂ・３２ｂ相互及び下方突出片３２ｃ・３２ｃ相互が互いに離反するように配置されて床面５に固定される。
【００４２】
また床面５の貫通口５ａから突出したバスダクト１はバスダクト上部用固定部材３１と固定する。バスダクト上部用固定部材３１は、構造物上部用固定部材３２と類似形状であって、正面視略方形の基部面３１ａの上端辺と下端辺でそれぞれ略直角に屈曲され外方に延設された上方突出片３１ｂと下方突出片３１ｃとを有し、断面略コ字形のチャネル部材である。図５には省略するが、上方突出片３１ｂと下方突出片３１ｂには同軸で上部用案内部材を挿通可能な挿通孔が形成されている。
【００４３】
一対のバスダクト上部用固定部材３１・３１は、バスダクト１の厚さ方向両端面で基部面３１ａ・３１ａが互いに向き合い、上方突出片３１ｂ・３１ｂ相互及び下方突出片３１ｃ・３１ｃ相互が互いに離反する向きで配置され、バスダクト１のハウジングを貫通しない場所で、図に省略した基部面３１ａのボルト挿通孔に締着具であるボルト３３ａを挿通し、ワッシャー３３ｃを介在してナット３３ｂで緊締することにより、基部面３１ａ・３１ａ同士でバスダクト１を狭持し、バスダクト上部用固定部材３１とバスダクト１が固定状態となる。
【００４４】
前記ボルト３３ａ、ナット３３ｂ等による固定位置は、例えばボルト３３ａがバスダクト１の幅方向両端面に略接する程度の位置とすると良好であり、ボルト３３ａ頭部と基部面３１ａの外側面及びナット３４ｂと基部面３１ａの外側面の間に介在するワッシャー３３ｃ・３３ｃの内側端縁が、バスダクト１のハウジングに係る程度にすることにより、バスダクト１をより強固に固定することができると共に、バスダクト１の幅方向への水平移動を規制することができる。なお前記締着具はボルト３３ａやナット３３ｂ等以外にも適宜であり、例えばバスダクト１の厚さ方向両端面の幅方向両端縁近傍でビスなどで固定する等でもよく、かかる構成によっても、バスダクト１を強固に固定することができると共に、水平方向への移動を規制することができる。
【００４５】
構造物上部用固定部材３２の上方突出片３２ｂとバスダクト上部用固定部材３１の上方突出片３１ｂ及び下方突出片３１ｃに形成された挿通孔（図示せず）には、雄ねじが螺刻された上部用案内部材３４を挿通する。前記上部用案内部材３４は、バスダクト上部用固定部材３１の上下両突出片３１ｂ、３１ｃ間にナット３５及びバネ部材３６を介在して挿通され、前記挿通状態に於いて、バネ部材３６の下端部とナット３５上面とが接し、バネ部材３６の上端部とバスダクト上部用固定部材３１の上方突出片３１ｂとが接し、前記バネ部材３６は圧縮された状態である。さらに上部用案内部材３４は略下端でワッシャー３７ｂ・３７ｂを介在してナット３７ａ・３７ａを緊締することにより構造物上部用固定部材３２の上方突出片３２ｂに固定されている。
【００４６】
前記構成では、バスダクト１の水平方向への移動は確実に規制される一方で、バスダクト上部用固定部材３１は上部用案内部材３４と垂直方向に固定状態となっていないため、バスダクト上部用固定部材３１及びそのバスダクト上部用固定部材３１と固定状態となっているバスダクト１は、上下方向に移動可能になっている。
【００４７】
そして、バネ部材３６は、後述する施工方法により、圧縮された状態で介在しているため、バネ部材３６の伸びる力がナット３５及びバスダクト上部用固定部材３１の上方突出片３１ｂに係ることとなる。この際にナット３５自体は構造物に対して固定状態となっているため、バスダクト上部用固定部材３１の上方突出片３１ｂを上方へ押し上げる力が加わり、バスダクト上部用固定部材３１はバスダクト１と固定状態となっていることから、バスダクト１を上方へ引っ張る力となる。
【００４８】
従って、バスダクト１に通電していない状態でバスダクト１が伸長していない場合には、バネ部材３６が下方のバスダクト１を上方へ引っ張るので、垂直布設されたバスダクト１の重さによる屈曲することを未然に防止することが可能であると共に、バスダクト１の荷重を上部支持装置３、中間支持装置４、最下部支持部材２で分担して支持することができる。他方に於いて、通電時にバスダクト１が伸長した場合には、図６に示すように下方からのバスダクト１の伸びを全て吸収することが可能であると共に、バスダクトの荷重を上部支持装置３と最下部支持装置２で分担して支持することができる。
【００４９】
また通電時のバスダクト１の伸びに対応して充分に上部用案内部材３４の長さを確保する構成としているが、図７に示すように、バネ部材３６の下面に接しているナット３５によってバスダクト上部用固定部材３１の上方への移動を規制しているため、万一の場合にもバスダクト上部用固定部材３１が上部用案内部材３４から外れて落下することはない。つまり、バスダクト上部用固定部材３１の上方突出片３１ｂ底面から下方突出片３１ｃ上面までの距離よりも、上部用案内部材３４の上端部から介在するナット３５の下端部までの距離を長く形成すれば良いこととなる。
【００５０】
ここで上部支持装置３の施工方法を図８に添って説明する。先ず床面５から貫通突出しているバスダクト１の幅方向両側方に適宜間隔をあけて構造物上部用固定部材３２・３２を配置し、構造物の床面５に固定する。その後、後述する予め設定された支持ユニット３ａをバスダクト上部用固定部材３１・３１の基部面３１ａ・３１ａが互いに向きあうように、且つバスダクト１の厚さ方向両端面に前記基部面３１ａ・３１ａが接する状態で配置し、構造物上部用固定部材上に形成された挿通孔に上部用案内部材３４を挿通し、下方からナット３７ａで緊締して締着する。
【００５１】
その後に、バスダクト１の厚さ方向両端面に接している基部面３１ａ・３１ａ相互をボルト３３ａ、ナット３３ｂ等の締着具で緊締すると共に、バスダクト上部用固定部材３１・３１の位置決めを行い、バスダクト上部用固定部材３１・３１とバスダクト１とを固定状態とする。その後に支持ユニット３ａで予めバネ部材３６の圧縮を行っている上部用案内部材３４上部に設けられた圧縮支持部材（ナット）３８を外すことにより、バネ部材３４が圧縮された状態で上部支持装置３の設置が完了する。
【００５２】
前記支持ユニット３ａは予め工場などで組み立てられているが、この組立方法は以下の通りである。先ずバスダクト上部用固定部材３１の上下突出片３１ｂ、３１ｃに形成された挿通孔に、前記上下突出片３１ｂ、３１ｃ間にバネ部材３６及びバネ部材３６の下方にナット３５が介在するように上部用案内部材３４を挿通する。その後、上方突出片３１ｂの上方から上部用案内部材３４に圧縮支持部材（ナット）３８を螺合して固定し、下方突出片３１ｃの下方から上部用案内部材３４にワッシャー３７ｂ・３７ｂを介して２個のナット３７ａ・３７ａを互いに向きあうように螺合して固定する。その後に上下突出片３１ｂ、３１ｃ間に対して上方突出片３１ｂの上方に存在するナット３８とナット３５との間の距離を調節し、バネ部材３６の圧縮力を調整して組立が終了する。
【００５３】
この組み立てられた支持ユニット３ａを図８に示す前記施工方法に添って設置する際には、前記下方突出片３１ｃの下方に位置する２個のナット３７ａ・３７ａの内、下方に存在するナット３７ａを外し、上部用案内部材３４の下端から構造物上部用固定部材３２の挿通孔に挿通し、前記外したナット３７ａを挿通した上部用案内部材３４の下端に螺合することにより、構造物上部用固定部材３２に支持ユニット３ａを固定することができる。
【００５４】
上述した上部用支持装置３を使用することにより、施工現場でバネ部材のバネ定数などをわざわざ調整して設定する必要がなくなり、バスダクト１を支持する施工作業が容易となる。またバスダクト上部用固定部材３１の上下突出片３１ｂ、３１ｃに上部用案内部材３４が挿通された状態となっているため、地震時等のバスダクト１の揺れ止め効果が得られる。
【００５５】
以上のように本発明の第１実施例のバスダクト支持構造を使用することにより、全ての階にバスダクト支持装置としてバネ部材などを使用する必要がなくなり、コストダウンに繋がると共に、各階毎にバネ調整などが不要となるため施工作業が容易となる。更に、バスダクト１の最下部を固定し、最上部で引っ張る力が加わるように構成しているため、バスダクト１の通電時などの伸びを容易に吸収することが可能で、バスダクトの変形を未然に防止することができ、安全で安定した電気幹線路を形成することができる。
【００５６】
次に本発明のバスダクト支持構造の第２実施例について、第１実施例と異なる箇所を中心に詳細を説明する。図９及び図１０は第２実施例のバスダクト支持構造に於ける上部支持装置を示すものであり、図９は上部支持装置の側面図及び正面図、図１０は上部支持装置の施工手順を示す説明図である。
【００５７】
第２実施例のバスダクト支持構造は、最下部支持装置及び中間部支持装置は第１実施例の最下部支持装置２及び中間部支持装置４と同様であり、上部支持装置のみ異なる構成となっている。
【００５８】
第２実施例の上部支持装置３００は、図９に示すように、バスダクト上部用固定部材３０１と構造物上部用固定部材３０２とを有し、構造物上部用固定部材３０２は第１実施例と同様に、基部面３０２ａに上方突出片３０２ｂと下方突出片３０２ｃが屈曲延設された断面略コ字形である。構造物中間用固定部材３０２の一対は、バスダクト１の貫通口５ａの近傍で、上方突出片３０２ｂ・３０２ｂ相互及び下方突出片３０２ｃ・３０２ｃ相互が互いに離反するように適宜間隔を開けて配置され、構造物の床面５に固定されている。
【００５９】
バスダクト上部用固定部材３０１は、第一実施例と略同一形状であり、正面視略方形の基部面３０１ａの上端辺と下端辺でそれぞれ略直角に屈曲され外方に延設された上方突出片３０１ｂと下方突出片３０１ｃとを有し、断面略コ字形のチャネル部材である。図９には省略するが、上方突出片３０１ｂにはボルト挿通孔が形成され、また基部面３０１ａにも締着具であるボルトを挿通するボルト挿通孔が形成されている。
【００６０】
一対のバスダクト上部用固定部材３０１・３０１は、バスダクト１の厚さ方向両端面に接して基部面３０１ａ・３０１ａが互いに向き合い、上方突出片３０１ｂ・３０１ｂ相互及び下方突出片３０１ｃ・３０１ｃ相互が互いに離反する向きで配置され、バスダクト１のハウジングを貫通しない場所で、図に省略した基部面３０１ａのボルト挿通孔に締着具であるボルト３０３ａを挿通し、ワッシャー３０３ｃを介在してナット３０３ｂで緊締することにより、基部面３０１ａ・３０１ａ同士でバスダクト１を挟持し、バスダクト上部用固定部材３０１とバスダクト１が固定状態となって維持されている。
【００６１】
上部用案内部材３０４は雄ねじが螺刻された棒状であり、構造物上部用固定部材３０２の上方突出片３０２ｂの図に省略した挿通孔に挿通され、その略下端は、ワッシャー３０７ｂを介して螺合したナット３０７ａ及びナット３０５を緊締することで、上方突出片３０２ｂに固定されている。上部用案内部材３０４は、基部面３０１ａ・３０１ａ間に位置し、ナット３０５、バネ部材３０６、図に省略した挿通孔を有する平板状の圧縮支持部材３０８に挿通され、これらが上部用案内部材３０４に介在し、またバネ部材３０６はナット３０５上面と圧縮支持部材３０８下面間に挟まれた状態となる。バネ部材３０６は第１実施例と同様に圧縮された状態で介在しており、この圧縮状態で介在させる方法として後述する施工方法を使用することにより、容易に圧縮状態で介在させることができる。
【００６２】
圧縮支持部材３０８は、バスダクト上部用固定部材３０１の上方突出片３０１ｂのバスダクト幅方向両端部近傍に位置し、ワッシャー３０９ｃを介在してボルト３０９ａを挿通してナット３０９ｂを緊締することにより、バスダクト上部用固定部材３０１の上方突出片３０１ｂに固定されている。
【００６３】
前記上部用支持装置３００を施工するには、例えば図１０に示すように、先ず床面５から貫通突出しているバスダクト１の幅方向両側方に適宜間隔をあけて構造物上部用固定部材３０２を配置し、構造物の床面５に固定し、構造物上部用固定部材３０２の上方突出片３０２ｂに形成された上部用案内部材挿通孔に上部用案内部材３０４を挿通し、上下からナット３０５、３０７ａ等で固定する。
【００６４】
その後、バスダクト上部用固定部材３０１・３０１の基部面３０１ａ・３０１ａが互いに向きあうようにして、バスダクト１の厚さ方向両端面に基部面３０１ａ・３０１ａを接し、且つその下方突出片３０１ｃが構造物上部用固定部材３０２の上方突出片３０２ｂに接する位置にバスダクト上部用固定部材３０１・３０１を配置し、基部面３０１ａ・３０１ａを互いにボルト３０３ａやナット３０３ｂ等の締着具で緊締して基部面３０１ａ・３０１ａ同士でバスダクト１を挟持し、バスダクト上部用固定部材３０１とバスダクト１とを固定状態とする。
【００６５】
その後、上部用案内部材３０４の上端からバネ部材３０６を挿入し、更に上方から平板で略中央部に上部用案内部材挿通孔が形成された圧縮支持部材３０８を被せ、この圧縮支持部材３０８のバスダクト厚さ方向両端部に形成された締着具挿通孔と前記バスダクト上部用固定部材３０１の上方突出片３０１ｂに形成された締着具挿通孔とにワッシャー３０９ｃを介してボルト３０９ａを上方から挿通し、下方からボルト３０９ａにワッシャー３０９ｃを介してナット３０９ｂを螺合し、これらの締着具で締め付けることにより、圧縮支持部材３０８と上方突出片３０１ｂが接して固定されると共に、圧縮支持部材３０８とナット３０５間でバネ部材３０６が圧縮された状態となる。
【００６６】
圧縮されたバネ部材３０６の伸びる力は、構造物上部用固定部材３０２の上方突出片３０２ｂ及び圧縮支持部材３０８に係り、構造物上部用固定部材３０２の上方突出片３０２ｂは構造物に対して固定状態であるから、バネ部材３０６の伸びる力は圧縮支持部材３０８を上方に付勢する。そして、圧縮支持部材３０８はバスダクト上部用固定部材３０１と固定され、更にバスダクト上部用固定部材３０１はバスダクト１と固定状態となっていることから、バネ部材３０６の伸びる力は結果的にバスダクト１を上方へ押し上げる或いは引っ張る力となり、バスダクト１は上方へ引っ張る力が加わった状態で支持される。
【００６７】
なお図では省略したが、上部用案内部材３０４の上端部に更にナット等を設けるなど適宜であり、これにより圧縮支持部材３０８及びバスダクト上部用固定部材３０１が上部用案内部材３０４から外れることを防止することができる。
【００６８】
以上本発明の第２実施例について説明したが、本実施例を使用する場合には施工現場でバネ部材３０６を設置する必要があるものの、図１０に示すように容易に設置することが可能であり、また全ての階にバネ部材３０６を設ける必要がないことから、バスダクト支持構造全体として安価となり、その施工作業が容易となる。
【００６９】
次に本発明の第３実施例について説明する。本実施例の最下部支持装置及び中間部支持装置は、前記第１実施例及び第２実施例の最下部支持装置２及び中間部支持装置３と同一構成であるため、上部支持装置について説明する。図１１は第３実施例の上部支持装置の側面図及び正面図である。
【００７０】
本実施例の上部支持装置３１０は、床面５によりバスダクト１を支持するものではなく、図１１に示すように天井面６に固定して吊された吊り金具３１１でバスダクト１を支持するものであって、吊り金具３１１には雄ねじが螺刻され、上部用案内部材として兼用されており、又吊り金具３１１の下端部近傍には本実施例ではナットである構造物上部用固定部材３１２が螺合され固定されている。構造物上部用固定部材３１２の上方には吊り金具３１１に挿通されたバネ部材３１３を介在し、さらに平面視略方形の平板である圧縮支持部材３１４が図に省略した挿通孔で吊り金具３１１に挿通されており、バネ部材３１３の上方に圧縮支持部材３１４が介在している。圧縮支持部材３１４は吊り金具３１１に対して垂直方向に移動可能に設置されている。
【００７１】
またバスダクト上部用固定部材３１５は、正面視略方形の基部面３１５ａと、この基部面３１５ａの下端辺から外方に略直角に屈曲延設してなる突出片３１５ｂを有する断面略Ｌ字形であって、一対のバスダクト上部用固定部材３１５は、天井面６近傍まで突出したバスダクト１の厚さ方向両端面に基部面３１５ａ・３１５ａを接して基部面３１５ａ・３１５ａが相互に対向するように配置されている。基部面３１５ａ及びバスダクト１には図に省略したボルト挿通孔が適宜箇所に形成され、ワッシャー３１６ｃを介し前記ボルト挿通孔にボルト３１６ａを挿通してナット３１６ｂで緊締し、これら締着具を締め付けることにより、基部面３１５ａ・３１５ａ同士でバスダクト１を挟持し、バスダクト上部用固定部材３１５とバスダクト１とが固定状態となっている。
【００７２】
バスダクト上部用固定部材３１５の突出片３１５ｂと圧縮支持部材３１４の対応箇所には、図に省略したボルト挿通孔が形成されており、ワッシャー３１７ｃを介してボルト３１７ａをこれらボルト挿通孔に挿通してナット３１７ｂで緊締し、これら締着具で締め付けることにより、突出片３１５ｂと圧縮支持部材３１４とが接する状態で固定されている。
【００７３】
吊り金具３１１の下端部近傍に設けられたナット（構造物上部用固定部材）３１２を締め付けることにより、徐々にバネ部材３１３は圧縮されるが、バネ部材３１３を所要の圧縮状態とすることで、バスダクト１に上方へ引っ張る力が加わった状態で支持することができる。
【００７４】
つまりバネ部材３１３の伸びる力は、上部用案内部材（吊り金具）３１１の下端部近傍に設置されたナット（構造物上部用固定部材）３１２と圧縮支持部材３１４に係り、ナット（構造物上部用固定部材）３１２は吊り金具３１１に固定され構造物に対して固定状態であるため、バネ部材３１３の伸びる力は圧縮支持部材３１４を上方へ付勢することになる。圧縮支持部材３１４は、上部案内部材（吊り金具）３１１に対して垂直方向へ移動自在で、且つバスダクト１と固定状態であるバスダクト上部用固定部材３１５に固定されているため、結果的にバネ部材３１３の伸びる力はバスダクト１を上方へ引っ張る力となる。
【００７５】
本実施例ではバスダクト上部用固定部材３１５・３１５とバスダクト１を図に示すようにバスダクト１自体を貫通するように固定し、バスダクト上部用固定部材３１５とバスダクト１をより強固な固定状態としているが、前記第１実施例及び第２実施例と同様に、バスダクト１の幅方向両端面に接する位置で締着具により締着し、バスダクト上部用固定部材３１５・３１５相互でバスダクト１を挟持して固定するようにしても良い。
【００７６】
以上、本発明のバスダクト支持構造の第１実施例から第３実施例までを説明したが、本発明は前記実施例に限定されるものではなく、以下のような変形及び拡張をすることができる。
【００７７】
本発明の最下部支持装置、上部支持装置、中間部支持装置及びそれらを構成する部材の形状、個数、部材関係などは、上記実施例に限定されるものではなく、様々な形状、個数等とすることが可能である。
【００７８】
また、上部支持装置は、少なくとも最上部を支持すれば良いため、例えば図１２に示すように、超高層ビル等でバスダクト１を垂直布設し、その長さが長くなる場合などには適宜間隔で上部支持装置を設けて支持するようにしても良い。なお図１２に於いて、１はバスダクト、２は最下部支持装置、３は上部支持装置、４は中間部支持装置、５は床面である。
【００７９】
更に、第１実施例の支持ユニット３ａは予め工場等で組み立てられたユニットを施工現場に持ってくる構成で説明したが、当然に施工現場で組み立てて固定するようにしてもよい。
【００８０】
また、第３実施例の上部支持装置３１０を使用した場合で、例えば最上階に設置した場合などは、最上階の床面５にも中間部支持装置を設置するなど、各階毎或いは所要階に複数の支持装置を設けてもよい。
【００８１】
また、上記実施例の最下部支持装置２の構造物下部用固定部材２２とバスダクト下部用固定部材２１との間等に、耐震用に弾性材を介在するようにしてもよい。
【００８２】
また、本発明のバスダクト支持構造では、通電時のバスダクトの荷重を上部支持装置のみで支持する構成、或いは少なくとも上部支持装置と最下部支持装置で分担して支持する構成などが可能であり、バネ部材の引っ張り力等によってどちらの構成であっても良いが、支持する床面或いは天井面の負担等を考慮すると、少なくとも上部支持装置と最下部支持装置で分担して支持する構成の方が好適であり、バネ部材の引っ張り力は少なくとも通電時のバスダクトの伸びを吸収できる程度であれば良い。
【００８３】
【発明の効果】
本発明のバスダクト支持構造を使用することにより、垂直方向に布設されたバスダクトをできるだけ安価で且つ設置作業を容易なバスダクト支持装置を提供することが可能となると共に、バスダクトの通電時の伸びに対するバスダクトの変形を未然に防止することができるという効果を奏する。
【図面の簡単な説明】
【図１】（ａ）第１実施例のバスダクト支持構造で垂直布設したバスダクトを支持している状態を示す側面図。
（ｂ）第１実施例のバスダクト支持構造で垂直布設したバスダクトを支持している状態を示す正面図。
【図２】（ａ）第１実施例のバスダクト支持構造に於ける最下部支持装置の側面図。
（ｂ）第１実施例のバスダクト支持構造に於ける最下部支持装置の正面図。
【図３】（ａ）第１実施例のバスダクト支持構造に於ける中間部支持装置の側面図。
（ｂ）第１実施例のバスダクト支持構造に於ける中間部支持装置の正面図。
【図４】（ａ）通電時に於ける図３の中間部支持装置を示す側面図。
（ｂ）通電時に於ける図３の中間部支持装置を示す正面図。
【図５】（ａ）第１実施例のバスダクト支持構造に於ける上部支持装置の側面図。
（ｂ）第１実施例のバスダクト支持構造に於ける上部支持装置の正面図。
【図６】（ａ）通電時に於ける図５の上部支持装置を示す側面図。
（ｂ）通電時に於ける図５の上部支持装置を示す正面図。
【図７】図５の上部支持装置をバスダクト上部用固定部材の最上方へ移動した時の側面図。
【図８】（ａ）〜（ｅ）第１実施例のバスダクト支持構造で上部支持装置の施工手順を示す説明図。
【図９】（ａ）第２実施例のバスダクト支持構造に於ける上部支持装置の側面図。
（ｂ）第２実施例のバスダクト支持構造に於ける上部支持装置の正面図。
【図１０】（ａ）〜（ｄ）第２実施例のバスダクト支持構造で上部支持装置の施工手順を示す説明図。
【図１１】（ａ）第３実施例のバスダクト支持構造に於ける上部支持装置の側面図。
（ｂ）第３実施例のバスダクト支持構造に於ける上部支持装置の正面図。
【図１２】（ａ）第１実施例のバスダクト支持構造で垂直布設した別例のバスダクトを支持している状態を示す側面図。
（ｂ）第１実施例のバスダクト支持構造で垂直布設した別例のバスダクトを支持している状態を示す正面図。
【符号の説明】
１ バスダクト
２ 最下部支持装置
２１ バスダクト下部用固定部材
２２ 構造物下部用固定部材
２１ａ、２２ａ 基部面
２１ｂ、２２ｂ、２２ｃ 突出片
３、３００、３１０ 上部支持装置
３１、３０１、３１５ バスダクト上部用固定部材
３２、３０２、３１２ 構造物上部用固定部材
３４、３０４ 上部用案内部材
３６、３０６、３１３ バネ部材
３８、３０８、３１４ 圧縮支持部材
３１１ 吊り金具
３１ａ、３２ａ、３０１ａ、３０２ａ、３１５ａ 基部面
３１ｂ、３１ｃ、３２ｂ、３２ｃ、３０１ｂ、３０１ｃ、３０２ｂ、３０２ｃ、３１５ｂ 突出片
４ 中間部支持装置
４１ バスダクト中間用固定部材
４２ 構造物中間用固定部材
４１ａ、４２ａ 基部面
４１ｂ、４２ｂ、４２ｃ 突出片
４４ｄ スペーサ
５ 床面
６ 天井面
【図１】
0004434464.tif 000002
【図２】
0004434464.tif 000003
【図３】
0004434464.tif 000004
【図４】
0004434464.tif 000005
【図５】
0004434464.tif 000006
【図６】
0004434464.tif 000007
【図７】
0004434464.tif 000008
【図８】
0004434464.tif 000009
【図９】
0004434464.tif 000010
【図１０】
0004434464.tif 000011
【図１１】
0004434464.tif 000012
【図１２】
0004434464.tif 000013